(57)【要約】【課題】バックアップを任意に、かつ容易にロック出来るようにしたことにより、運搬時を含め、取扱いの容易な、操作性に優れたスタッカを有するカード処理装置を提供する。【解決手段】多数のカードを順次取り込み、或いは払い出すカード処理装置で、装置本体にスタッカ２６を取外し可能に設ける。スタッカ２６は、内部に積層されるカードを載支するバックアップ２８を有する。このスタッカ２６には、駆動モータ２７と分離可能に連結されたバックアップ昇降機構３６と、バックアップ２８の昇降動作をロックするロック機構４８とを設ける。制御部５５は、スタッカ２６の取り外し指令を受けると、モータ２７によりバックアップ２８を所定量下降させると共に、ロック機構４８によりバックアップ２８を固定する。【選択図】図１
2007241421.tif 000002
【特許請求の範囲】
【請求項１】
多数のカードを順次取り込み、或いは払い出す機構を備えたカード処理装置であって、
装置本体に取外し可能に設けられ、装置本体により取り込み、或いは払い出しされるカードを積層状態で収納するケースを有し、かつ、このケース内に昇降可能に構成され、前記ケース内に積層されるカードを載支するバックアップを有するスタッカと、
このスタッカに設けられ、装置本体側に設けられた駆動モータと分離可能に連結され、この駆動モータの駆動力により前記バックアップを昇降させる昇降機構と、
この昇降機構による前記バックアップの昇降動作をロックするロック機構と、
前記スタッカを装置本体から取り外す指令を受けると、前記駆動モータを前記バックアップ下降方向に所定量動作させた後に前記ロック機構を動作させて前記昇降機構をロックする制御部と、
を備えたことを特徴とするカード処理装置。
【請求項２】
前記バックアップ下降の所定量をカ−ドの短手長さ未満とすることを特徴とする請求項１に記載のカード処理装置。
【発明の詳細な説明】
【技術分野】
【０００１】
本発明は、多数のカードを順次取り込み、或いは払い出す機構を備えたカード処理装置に関する。
【背景技術】
【０００２】
近年、磁気情報やＩＣチップ情報などを内蔵したプラスチック製のカードが、個人情報媒体や経済価値媒体として多用されている。この種のカードは国際標準化されており、一般には厚さ０．７６ｍｍの塩ビカードが用いられている。このようなカードは、前述のように各種分野で用いられており、近年、同一サイズのカードにそれぞれ異なる貴金属の埋め込みを施したり絵画デザインを表記し、それら貴金属や絵画デザインの価値情報を記録して取り扱うシステムが考えられている。このようなカードを取り扱う装置では、カード情報の読取や読取結果に応じた分類収納などの多くの機能が必要となり、このような装置に関する提案もなされている（例えば、特許文献１参照）。
【０００３】
この装置は直線状を成す搬送手段をＺ字形に構成し、搬送途中においてカードから情報を読取り、この読取った情報に従って各カードを対応するカード集積装置内に分類収納している。この場合、カード集積装置は、カードの種類毎に設けられる。例えば、カードの種類が５種類であれば、５つのカード集積装置が、Ｚ字形に構成された搬送手段の後端部分に1列に並設され、搬送手段により搬送されてくるカードは、順次対応するカード集積装置内に分離収納される。
【０００４】
このような装置では、上述のように多数のカードを収納する集積装置（以下、スタッカとして説明する）が用いられる。このスタッカは、カードを所定枚数積層状態で収納するケースを有し、かつ、このケース内に昇降可能に構成されたバックアップを有する。このバックアップは、ケース内に積層されるカードを載支する。また、このスタッカは、装置本体に対して取外し可能に設けられ、カードが満杯に収納された場合など、スタッカごと、別の回収場所などに運ばれ、カードを回収するなどの運用を行なっている。
【０００５】
例えば、１つのスタッカは、１５００枚程度のカードを収納できるが、業務中にしばしば満杯になってしまう。この場合、満杯となったスタッカを交換し、収納されたカードを回収する必要がある。このため、スタッカは、装置本体側から容易に分離でき、かつ容易に取り付けられる構成であり、さらに、運搬時における取り扱いが容易であることが望まれる。
【０００６】
従来のスタッカでは、多数のカードを載支するバックアップは、スプリングなどによって支持され、このスプリングをカードの自重により押圧して下降するように構成されていた。すなわち、スタッカのケース内にカードが順次取り込まれ、ケース内に設けられたバックアップ上に積層収納されていくと、バックアップは積層されたカードの自重により、これを支えるスプリングを押圧しながら下降する。また、スタッカからカードを払い出す場合は、カードがスタッカから繰り出されるに連れてバックアップがスプリングの反発力により上昇し、積層されたカードの上端位置が、常に所定の払出し高さに位置するように構成している。
【特許文献１】特開２００５−３３９４５８号公報
【発明の開示】
【発明が解決しようとする課題】
【０００７】
このような構成において、スタッカ内のバックアップ上に多数積層されるカードの質量は数ｋｇになる。このため、このバックアップを支持するスプリングもこれに見合った強い弾発力のものを用いる。このため、セット時など、オペレータがバックアップを手動で動かすとき、操作性が悪くなるばかりでなく、危険でもある。
【０００８】
また、前述のようにカードを積層収納した状態でスタッカを運搬する場合、運搬時の振動によりバックアップとカードが踊ってしまい、運搬時の取扱い性が悪くなる。また、バックアップとカードが踊ってしまうことにより、カードの積層姿勢が崩れることがある。このようにカードの積層状態が崩れると、その後のカード回収や、カード払い出しなどの動作に支障を与えてしまう。
【０００９】
本発明の目的は、バックアップを任意に、かつ容易にロック出来るようにしたことにより、運搬時を含め、取扱いが容易で、操作性に優れたスタッカを有するカード処理装置を提供することにある。
【課題を解決するための手段】
【００１０】
本発明のカード処理装置は、多数のカードを順次取り込み、或いは払い出す機構を備えたカード処理装置であって、装置本体に取外し可能に設けられ、装置本体により取り込み、或いは払い出しされるカードを積層状態で収納するケースを有し、かつ、このケース内に昇降可能に構成され、前記ケース内に積層されるカードを載支するバックアップを有するスタッカと、このスタッカに設けられ、装置本体側に設けられた駆動モータと分離可能に連結され、この駆動モータの駆動力により前記バックアップを昇降させる昇降機構と、この昇降機構による前記バックアップの昇降動作をロックするロック機構と、前記スタッカを装置本体から取り外す指令を受けると、前記駆動モータを前記バックアップ下降方向に所定量動作させた後に前記ロック機構を動作させて前記昇降機構をロックする制御部と  を備えたことを特徴とする。
【００１１】
また、本発明では、バックアップ下降の所定量をカ−ドの短手長さ未満としている。
【発明の効果】
【００１２】
本発明によれば、バックアップを、ばねを用いることなく昇降可能に構成すると共に、運搬時など、必要に応じてこのバックアップを固定できるようにしたので、バックアップそのものの操作性が向上するとともに、運搬時の振動などによって積層されたカードが踊るようなことはなく、取扱い性が向上する。
【発明を実施するための最良の形態】
【００１３】
以下、本発明によるカード処理装置の一実施の形態について、図面を用いて詳細に説明する。
【００１４】
図1は本発明のカード処理装置の一実施の形態を示している。図1において、１は装置の外郭をなす筐体で、その内部には、それぞれ破線で囲まれた第１処理部２と第２処理部３とが構成されている。
【００１５】
第１処理部２は、入口部４、受入れ用の第１搬送手段７、第１情報読取手段８、第１保留手段１０により概略構成される。入口部４は、筐体１の前面上部に配置され、常時閉の扉４ａを有する。そして、この扉４ａの開放時、所定の情報を保持した複数枚のカードＰを積層状態で受け入れる。受け入れられたカードＰは、バックアップ板５により下方に押し付けられ、ピッカー６により、１枚ずつ後方の第１搬送手段７へ繰り出される。
【００１６】
第１搬送手段７は受入れ用のもので、上下一対のローラ７ａを複数対、直線上に配置しており、これら一対のローラ７ａの回転により、ピッカー６によって１枚づつ繰り出されたカードＰを、装置の後方に向ってほぼ水平方向に直線搬送する。また、この第１搬送手段７には第１情報読取手段（例えば、磁気カードリーダ）８が設けられており、内蔵された磁気ヘッド９により、搬送途中のカードＰから保持情報を読み取る。
【００１７】
第１保留手段１０は、第１搬送手段７の搬送終端部（図示右端部）に設けられ、搬送されてきたカードＰを積層保留する。この第１保留手段１０は、積層保留されたカードを一括して次段に移送する移送手段（以下、スイーパ機構と呼ぶ）１１を備えている。
【００１８】
前記第１搬送手段７は、カードＰの搬送方向を逆方向にする逆搬送機能を有する。また、第１保留手段１０は積層保留されたカードを１枚ずつ逆搬送状態の第１搬送手段７に繰り出す返却手段１２を有する。
【００１９】
また、この第１搬送手段７の前方寄り（図示左方寄り）の部分には、逆方向に搬送されたカードを搬送路上から取り出すリジェクト手段１３が設けられている。このリジェクト手段１３により搬送路上から取り出されたカードＰは、返却搬送路１４を通って筐体１の前面に設けられた返却口１５に送られる。
【００２０】
第２処理部３は、第２保留手段１６、情報読取用の第２搬送手段１８、第２情報読取手段２１、スイッチバック手段２２、収納用の第３搬送手段２４を有し、この第３搬送手段２４の下方には、カードを積層状態で収納するスタッカ２６が複数個設けられている。
【００２１】
第２保留手段１６は、前記第１保留手段１０に隣接されており、この第１保留手段１０から、スイーパ機構１１により一括移送されてくる積層状態のカードＰを受け入れ、このカードＰをピッカー１７により１枚ずつ繰り出す。
【００２２】
第２搬送手段１８は、第２保留手段１６から、筐体１の前方（図示左方）に向って、所定の傾斜角度を保って形成された直線上に、上下一対のローラを複数対配置して構成される。この第２搬送手段１８は、各一対のローラの回転により、第２保留手段１６から繰り出されたカードＰを前方に向って所定の傾斜角度で直線搬送する。
【００２３】
この第２搬送手段１８は、前述のように情報読取用のものであり、搬送中間部には、磁気カードリーダなどによる第２情報読取手段２１が設けられている。そして、内蔵された磁気ヘッドにより、搬送途中のカードＰから保持情報を読み取る。さらに、この第２搬送手段１８は、カードの搬送方向を逆方向にする逆搬送機能を有し、かつ、逆方向に搬送されたカードＰを搬送路上から取り出すリジェクト手段１９を有する。このリジェクト手段１９でリジェクトされたカードＰはリジェクト箱２０内に貯留される。
【００２４】
スイッチバック手段２２は、第２搬送手段１８の搬送終端部に設けられた回動アーム２３を有し、第２搬送手段１８によって搬送されてきたカードＰの上面を叩き、このカードＰを第３搬送手段２４上に載置させる。第３搬送手段２４は、筐体１内の前面側（図示左方）から後方(図示右方)に向うほぼ水平な直線上に、上下一対のローラを複数対配置したもので、スイッチバック機構２２の回動アーム２３により載置され、搬送方向が変向されたカードＰを、後方に向ってほぼ水平に搬送する。
【００２５】
スタッカ２６は、第３搬送手段２４に沿って複数個（図の例では５個）設けられ、この第３搬送手段２４により搬送されてくるカードＰを、第２の情報読取手段２１による読取結果に基づいて搬送路から取り出し、積層集積する。
【００２６】
第３搬送手段２４の搬送路上からカードＰを取り出す手段として、各スタッカ２６の搬送方向前方（図示左方）の位置には、ゲート機構をそれぞれ設けている。すなわち、スタッカ２６の搬送方向前方に、楔状のゲート板２５を、その先細状先端が搬送方向と対向するように設置する。このゲート板２５の基端部は、図示しないロータリアクチュエータの駆動軸と連結しており、作動時、ゲート板２５が搬送路上に起き上がるように、図示右回りに回動駆動される。
【００２７】
次に、スタッカ２６の詳細構成を、図２を参照して説明する。スタッカ２６は、図１で説明したカード処理装置に設置され、この装置により取り扱われるカードＰを集積するもので、縦長のカセット状ケース３１を有し、カ−ド処理装置に対して取り外し可能に装着される。このケース３１は、所定形状のカードＰを、傾斜状態で集積するもので、このカードＰを所定枚数集積可能な内容積を有する。このケース３１の正面（図示左面）には、蓋３２がヒンジにより開閉可能に取り付けられている、この蓋３２には図示しないが錠機構が設けられており、この錠機構を開錠して蓋３２を開くことにより、内部に集積されたカードＰを取り出すことができる。
【００２８】
また、このケース３１の背面上部には、上下一対のローラ３４が設けられている。この上下一対のローラ３４は、このケース３１内と、図１で説明したカード処理装置の第３の搬送手段２４との間に位置する。そして、このローラ３４の回転軸を、図１で示したカード処理装置側の図示しない駆動機構と分離可能に連結することにより、回転駆動される。この上下一対のローラ３４の回転により、前記ゲート板２５により第３の搬送手段２４から分岐されたカードＰを捕らえて１枚ずつ傾斜方向に搬送し、ケース３１内に搬入させる。
【００２９】
ケース３１内には、バックアップ２８が昇降機構３６により昇降可能に設けられている。このバックアップ２８は傾斜した上面を有するブロック状のもので、上下一対のローラ３４によりケース３１内に搬入されたカードＰは、その先端がケ−ス３１内壁に接し、バックアップ２８の上部傾斜面によって図示のように傾斜状態で載支され、積層される。
【００３０】
昇降機構３６は、バックアッププレート２８をケース３１内においてカードＰの集積枚数に応じて昇降させる。この昇降機構３６は、図３で示すように、縦長のブラケット３７内に縦方向に設置されたガイドロッド３８（図２に図示）と、同じくブラケット３７の上下に配置されたプーリ３９ａ，３９ｂとを有する。バックアップ２８は、これらプーリ３９ａ，３９ｂ間に掛け渡されたタイミングベルト４１に連結し、かつ、ガイドロッド３８により、上下動可能に案内支持されている。
【００３１】
ここで、下部のプーリ３９ｂは、連結機構４２により、図１で示したカード処理装置側に設けられたモータ２７と分離可能に連結され、このモータ２７により回転駆動される。したがって、バックアップ２８は、モータ２７の回転に伴い、タイミングベルト４１により上下方向に駆動され、ガイドロッド３８に案内されて上下動する。
【００３２】
ケース３１内の、カードが搬入される部分には、図示しないが光学センサが設けられており、カードＰがケース３１内に搬入されたことを検出すると、モータ（例えば、パルスモータ）２７を所定量回転させ、プーリ３９ａ，３９ｂ及びタイミングベルト４１を駆動して、バックアップ２８を所定高さ降下させる。この動作により、ケース３１内に搬入されたカードＰは、バックアップ板２８上に順次積み重ねられ、集積される。
【００３３】
なお、このバックアップ２８の動作は、カードＰがケース３１内に搬入される度に行なわれるが、もちろん数枚のカードＰが搬入される度に行なうようにしてもよい。すなわち、光学センサによりバックアップ２８上に集積された最上位のカードＰの傾斜上端面の高さが所定レベルに達したことを検出し、バックアップ２８を所定高さ（カード数枚分）下降するように設定すれば、カード数枚毎の下降動作を行うことができる。
【００３４】
ここで、１つのスタッカ２６では１５００枚程度のカードを収納できるが、業務中にしばしば満杯になってしまう。この場合、満杯となったスタッカを交換しなければならず、このスタッカ２６をカード処理装置本体側から分離し取り外す。この取り外し状態において、スタッカ２６内に集積されたカードＰの取り出しは、セキュリティ上、特定の人が鍵を用いて蓋３２を開いて行なう。
【００３５】
また、スタッカ２６をカード取扱装置から取り外して運搬する際、バックアップ２８の昇降をロックして固定するロック機構４８を設ける。すなわち、バックアップ２８の上下駆動機構３６は、図３で示した連結機構４２により、カード処理装置側に設けられたモータ２７と分離可能に連結しているが、スタッカ２６がカード取扱装置から取り外され、連結が解除されると、バックアップ２８に対する拘束力がなくなる。この状態で運搬すると、運搬時に振動などが生じると、集積されたカードの重量により、バックアップ２８が正規の位置よりずれ、集積されたカードＰがばらばらになるおそれがある。
【００３６】
そこで、バックアップ２８の昇降動作をロックするために、図４で示すようにロック機構４８を設ける。このロック機構４８は、連結機構４２と組み合わされている。すなわち、タイミングベルト４１を駆動するプーリ３９ｂには、カード処理装置側に設けられたモータ２７と分離可能に連結する連結歯車４９が直結している。この連結歯車４９の外周に形成された凹部４９ａに対して、フック５０を係合可能に設け、このフック５０をソレノイド５１による作動力及びこの作動力に抗する図示しないスプリングの力により、作動体５２を介して駆動するように構成する。すなわち、スタッカ２６が図１で示したカード処理装置に装着されているときは、ソレノイド５１に通電され、ロックが解除される。これに対し、ロックを行う場合は、ソレノイド５１に対する通電をオフすることにより、図示しないスプリングの力によってロックするように構成している。
【００３７】
図１で示したカード処理装置には、上記ロック機構４８や、バックアップ２８の駆動用モータ２７を制御する制御部５５を設ける。この制御部５５は、オペレータの操作などにより、スタッカ２６をカード処理装置から取外すスタッカ取外し指令が入力されると、上述したロック機構４８を動作させ、バックアップ２８の昇降動作をロックする。すなわち、ソレノイド５１への通電をオフにして、図示しないスプリングの力により作動体５２を介してフック５０を連結歯車４９の凹部４９ａに係合させ、昇降機構３６をロックする。この動作により、バックアップ２８は現状状態に固定され、スタッカ２６の運搬時の振動などにより、バックアップ２８に積層されたカードの重量が加わっても従来のようにバックアップ２８が移動することはなく、安定した状態を維持する。
【００３８】
ここで、制御部５５は、上記スタッカ取外し指令によりバックアップ２８を固定する際、バックアップ２８を現状位置から所定高さ下げるようにモータ２７を制御することが望ましい。すなわち、制御部５５は、スタッカ２６を装置本体から取り外す指令を受けると、駆動モータ２７をバックアップ２８の下降方向に所定量動作させる。そして、この駆動モータ２８によりバックアップ下降方向の動作完了に伴い、ロック機構４８を動作させて昇降機構３６をロックすることが望ましい。
【００３９】
上記動作は、積層されたカードＰをスタッカ２６から取出す際の操作を容易にするためである。すなわち、スタッカ２６内に積層されたカードＰの最上位面は、図２で示したように、ケース３１内の上端近くに位置するようにバックアップ２８により高さ制御されている。この状態でバックアップ２８を固定すると、上述のように、運搬時における振動など対してもカードＰの積層状態を安定に保つことができる。しかし、運搬後において、蓋３２を開き、積層された多数のカードを取り出す際、ケース３２の開口部との間に殆ど隙間がなく、しかもバックアップ２８が固定されているため、カードＰの取出し作業の作業性が非常に悪くなる。
【００４０】
そこで、バックアップ２８の昇降動作をロックする際、駆動モータ２７を、バックアップ２８の下降方向に所定量動作させ、バックアップ２８を現状位置から所定量下降させる。この下降量は、スタッカ２６の運搬によるカードＰの位置ずれを防止し、かつ、取出しの際の容易性から、好ましくは図５に示すようにカードＰの短手長さＬ未満とする。即ち、バックアップを下降させて集積されたカードの上にできた空間でカードが踊って表裏が逆になったり、立った状態になることを防ぐには大きくとも下降量が、カードＰの短手長さＬより少ない必要がある。このように、バックアップ２８を現状位置から所定量下降させた後バックアップ２８を固定すると、スタッカを運搬後において、蓋３２を開き、積層された多数のカードを取り出す際、ケース３２の開口部との間に取出し操作のための隙間が生じる。このため、バックアップ２８が固定されていても、積層状態のカードＰを容易に取出すことができ、作業性が向上する。なお、バックアップ２８を、上述のように現状位置から多少下げても、運搬時における影響は殆どなく、カードＰの積層状態を安定に保つことができる。
【００４１】
このように上下駆動機構３６をロックすることにより、スタッカ２６をカード処理装置から分離して運搬する際、集積されたカードの重量によりバックアップ２８が正規の位置よりずれて集積されたカードＰがばらばらになることを確実に防止でき、運搬時における取り扱い性が格段に向上する。
【００４２】
また、スタッカ２６の使い方によっては、カード取扱装置から分離した状態で内部にカードを装填する場合がある。この場合、スタッカ２６はカード処理装置から取り外した状態であるため、上記ロック機構４８が作動しており、このままではバックアップ２８が動かず、カードを装填することができない。
【００４３】
そこで、このロック機構４８を任意に解除できるように、図４で示すように解除機構５３を設けた。この解除機構５３は、ソレノイド５１とフック５０とを連結する作動体５２に一体に設けられた手動開放レバーにより構成される。すなわち、この手動開放レバー５３を手動操作して、フック５０と連結歯車４９の凹部４９ａとの噛み合いを解除することにより、バックアップ２８に対するロック状態が解除され、カードＰの装填が可能となる。
【００４４】
次に、全体的な動作を説明する。複数種類のカード、例えば、Ａ，Ｂ，Ｃ，Ｄ，Ｅの５種類のカードが有る場合、これらカードをランダムに多数有する使用者は、この多数のカードＰを、入口部４に投入する。例えば、この入口部４は、積層状態のカードＰを５０枚一括受け入れできるものとする。
【００４５】
使用者は、筐体前面の図示しない操作部を操作して入口部４の扉４ａを開け、積層状態のカードＰを一括投入する。一括投入後、バックアップ板５が下降し、積層されたカードＰの上面を押圧する。
【００４６】
この状態でピッカー６が作動し、積層状態のカードを１枚づつ第１搬送手段７に繰り出す。第１搬送手段７は、図示しないパルスモータによって上下一対のローラ７ａを回転駆動するもので、入口部４から繰り出されたカードＰを、装置後方に向って伸延した水平搬送路により搬送する。
【００４７】
このようにして入口部４に投入されたカードＰを順次繰り出し、入口部４にカードがなくなると、図示しない残留検知センサが残留無しを検知し、ピッカー６による繰り出しを停止する。
【００４８】
上記第１搬送手段７による第１保留部１０へのカード集積が終了すると、集積されたカードについて、カードリーダ８が読み取った情報の内容、すなわち、読み取った各種別の枚数などを、筐体１前面の図示しない表示部に表示し、利用者の確認を得る。この結果、利用者が意図した数量と読み取られた数量とが異なる場合など、利用者は「確認ＮＯ」のボタンを押下する。
【００４９】
「確認ＮＯ」のボタンが押下されると、第１保留部１０に集積されたすべてのカードＰを返却口１５に返却する。すなわち、第１搬送手段７を逆搬送状態にし、リジェクト手段１３を動作状態にする。そして、返却手段１２により、積層上部からカードＰを１枚づつ、逆搬送状態の第１搬送手段７に繰り出す。このため、カードＰはリジェクト手段１３により搬送路から取り出され、返却搬送路１４を通って返却口１５に返却される。
【００５０】
これに対し、利用者が「確認ＯＫ」のボタンを押下するとスイーパ機構１１が動作し、第１保留部１０に集積されたカードＰを一括して図示右方に押し出し、隣接した第２保留部１６内に一括して移送する。
【００５１】
第２処理部３の第２保留部１６内に約１５度傾斜した状態で集積されたカードは、ピッカー１７により１枚づつ第２搬送手段１８に繰り出され、第２搬送手段１８により前方に向って斜め下方に搬送される。また、搬送途中においてカードリーダ２１により、保持された情報が読み出される。読み出された情報が適正であれば、そのまま順方向に搬送される。
【００５２】
順方向に搬送された適正なカードは、スイッチバック手段２２により第３搬送手段２４にスイッチバックされる。
【００５３】
第３搬送手段２４に対しては、その搬送方向に沿って複数のスタッカ２６が設けられており、これらスタッカ２６には、それぞれゲート板２５が設けられているので、各スタッカ２６には、カードリーダ２１による読み取り結果により、該当する種類のカードＰが選別されて収納される。すなわち、搬送されてくるカードは、対応するゲート板２５により搬送路上から図示斜め右下方に取り出され、該当するスタッカ２６の上部に設けられた上下一対のローラ３４に捕らえられ、ケース３１内に搬入され、バックアップ２８上に集積される。
【００５４】
このようにしてスタッカ２６内にカードＰが集積され、スタッカ２６が満杯になると、オペレータはこの集積されたカードＰを回収すべく、スタッカ２６の取外し指令を入力する。制御部５５は、このスタッカ２６の取外し指令を受けると、カードＰを載支するバックアップ２８を固定するために、ロック機構４８に対しロック指令を与える。このロック指令により、図４で示したロック機構４８がロック動作し、バックアップ２８の昇降機構３６をロックし、バックアップ２８を固定する。
【００５５】
スタッカ２６は図１で示したカード処理装置本体から取外された後、別のカード回収場所などに運搬されるが、上記のように、このロック機構４８によりバックアップ２８を固定しているため、集積されたカードの重量によりバックアップ２８が正規の位置よりずれて集積されたカードがばらばらになることを防止でき、運搬時における取り扱いが容易となる。
【００５６】
また、制御部５５は、ロック機構４８により昇降機構３６をロックさせる場合、バックアップ２８を現状位置から所定量下降させると、集積されたカードＰの上端面とスタッカ２６の開口部との間に隙間が生じるので、スタッカ２６から積層されたカードＰを取出す際の作業性が、従来に比べ格段に向上する。
【００５７】
さらに、このロック機構４８は、解除機構５３によりロック状態を任意に解除できるので、スタッカ２６をカード処理装置から分離した状態で内部にカードを装填することも可能になる。このように、カードを別の場所で装填し、再びロック状態にした後、スタッカ２６を、図１で示したカード処理装置まで運搬して、この装置本体に装着し、ロック機構４８によるロックを電気的に解除すれば、カード処理装置を、カード払出し装置として運用することができる。すなわち、各部の回転方向および搬送方向を逆向きにすることにより、スタッカ２６内に集積されたカードＰを１枚ずつ繰り出すことができる。この場合、スタッカ２６内に集積されたカードのうち、最上部のカードを上下一対のローラ３４に向って繰り出すためにはピッカーを用いればよい。すなわち、スタッカ２６の上面カバーにスリットを設け、ここにピッカーの作動子を挿入し、スタッカ２６内に集積された最上部のカードＰを１枚ずつ繰り出すように構成すればよい。
【図面の簡単な説明】
【００５８】
【図１】本発明によるカード処理装置の一実施の形態を示す構成図である。
【図２】同上一実施の形態におけるスタッカの内部構成を示す側面開放図である。
【図３】同上一実施の形態におけるバックアップ昇降機構を示す斜視図である。
【図４】同上一実施の形態におけるロック昇降機構を示す斜視図である。
【図５】同上一実施の形態におけるカ−ドを示す斜視図である。
【符号の説明】
【００５９】
２６    スタッカ
２７    駆動用のモータ
２８    バックアップ
３１    ケース
３６    昇降機構
４８    ロック機構
５５    制御部
【図１】
2007241421.tif 000003
【図２】
2007241421.tif 000004
【図３】
2007241421.tif 000005
【図４】
2007241421.tif 000006
【図５】
2007241421.tif 000007